(57)【特許請求の範囲】
【請求項１】
スクリーンを巻き付ける巻取り軸に内蔵されたコイルスプリングの捩りによる回転付勢力をスクリーンの巻取用の駆動源とし、上記スクリーンの先端に開閉操作用の操作框を取り付けて、該スクリーンを開閉するようにした自動巻取り式のスクリーン装置において、
巻取りボックスに上記巻取り軸を回転自在に支持させると共に、その巻取りボックスの一端のブラケットに、上記巻取り軸から突出する固定軸の一端を固定的に支持させ、
上記固定軸にコイルスプリングの一端を固定すると共に、該コイルスプリングの他端を巻取り軸に固定したスプリング受けに取り付け、且つ、上記固定軸と巻取り軸との間に、一方向クラッチ機構を内蔵したオイルダンパーを設け、該一方向クラッチ機構は、上記コイルスプリングの回転付勢力に抗してスクリーンを展張する方向に巻取り軸を回転させる場合にその接続が断たれるものとし、
上記オイルダンパーは、上記固定軸に連結するケーシングと、該ケーシング内に粘性流体を介して回転自在に収容される制動筒と、上記ケーシングに液密に挿入され、上記制動筒内においてクラッチ筒部へのクラッチスプリングの巻着による上記一方向クラッチ機構を介して制動筒と連結される回転伝達軸と、該回転伝達軸を巻取り軸に連結する伝達部材とを有するものとした、
ことを特徴とする自動巻取り式スクリーン装置。
【請求項２】
オイルダンパーのケーシング内に収容した制動筒の内部に一体に連設したクラッチ筒部の周囲に、巻着傾向を持つクラッチスプリングを装着して、その端部を回転伝達軸の上記クラッチスプリングの周囲に位置する筒部に設けた軸方向溝に係合させることにより、一方向クラッチ機構を構成した、
ことを特徴とする請求項１に記載の自動巻取り式スクリーン装置。
【請求項３】
オイルダンパーのケーシング内面と制動筒外面との間に、部分的に両面が近接する複数の狭窄部を設けると共に、それらの狭窄部の間に、オイルダンパーによる緩衝力を調整する調整駒を収容可能にした拡大部を設けた、
ことを特徴とする請求項１または２に記載の自動巻取り式スクリーン装置。
【請求項４】
一方向クラッチを構成するコイル状のクラッチスプリングの両端が当接する制動筒及び回転伝達軸のうち、少なくとも上記クラッチスプリングがクラッチ筒部への巻着に際してそのコイル状の巻き方向に起因して螺進する方向端のスプリング受け部に、金属製のカラーを当接した、
ことを特徴とする請求項１ないし３のいずれかに記載の自動巻取り式スクリーン装置。
【発明の詳細な説明】
【０００１】
【発明の属する技術分野】
本発明は、防塵、遮光、断熱、防虫等のための自動巻取り式スクリーン装置に関するものであり、更に具体的には、巻取り軸に内蔵したコイルスプリングの捩りによる回転付勢力をスクリーンの巻取用の駆動源とするスクリーン装置において、上記コイルスプリングによるスクリーンの巻取り時における衝撃及び衝突音を緩和できるようにした自動巻取り式のスクリーン装置に関するものである。
【０００２】
【従来の技術】
従来、コイルスプリングを駆動源とする巻取り軸にスクリーンを巻き付けると共に、該スクリーンの先端に開閉操作用の操作框を取り付け、該スクリーンを自動的に巻き取るようにしたスクリーン装置は、広く知られている。
この種の自動巻取り式のスクリーン装置においては、コイルスプリングの捩りの回転付勢力によりスクリーンを巻取るため、巻取りの完了時に巻取り速度が大きくなって、スクリーンの先端に取付けた操作框が巻取りボックスに衝突する際に大きな衝撃を与え、あるいは大きな衝突音を発生する可能性があり、それに対する対策として、上記巻取り速度の増大を抑制するためのダンパーを設けるなどの種々の配慮がなされている。
しかしながら、従来のスクリーン装置におけるダンパーは、簡単な構成で安定的に動作し、また簡単な手段でダンパー効果を調整できるとは限らず、その作業に熟練を要するなどの問題があった。
【０００３】
【発明が解決しようとする課題】
本発明の技術的課題は、コイルスプリングを駆動源とする巻取り軸にスクリーンを巻き付けて、該スクリーンを自動的に巻き取るようにしたスクリーン装置において、上記スクリーンの巻取り時における衝撃及び衝突音を緩和するためのダンパーを、簡単な構成で安定的に動作し、また簡単な手段でダンパー効果を調整できるように構成した装置を提供することにある。
【０００４】
【課題を解決するための手段】
上記課題を解決するため、本発明は、スクリーンを巻き付ける巻取り軸に内蔵されたコイルスプリングの捩りによる回転付勢力をスクリーンの巻取用の駆動源とし、上記スクリーンの先端に開閉操作用の操作框を取り付けて、該スクリーンを開閉するようにした自動巻取り式のスクリーン装置において、巻取りボックスに上記巻取り軸を回転自在に支持させると共に、その巻取りボックスの一端のブラケットに、上記巻取り軸から突出する固定軸の一端を固定的に支持させ、上記固定軸にコイルスプリングの一端を固定すると共に、該コイルスプリングの他端を巻取り軸に固定したスプリング受けに取り付け、且つ、上記固定軸と巻取り軸との間に、一方向クラッチ機構を内蔵したオイルダンパーを設け、該一方向クラッチ機構は、上記コイルスプリングの回転付勢力に抗してスクリーンを展張する方向に巻取り軸を回転させる場合にその接続が断たれるものとし、上記オイルダンパーは、上記固定軸に連結するケーシングと、該ケーシング内に粘性流体を介して回転自在に収容される制動筒と、上記ケーシングに液密に挿入され、上記制動筒内においてクラッチ筒部へのクラッチスプリングの巻着による上記一方向クラッチ機構を介して制動筒と連結される回転伝達軸と、該回転伝達軸を巻取り軸に連結する伝達部材とを有するものとしたことを特徴とするものである。
【０００５】
上記本発明の自動巻取り式スクリーン装置の好ましい実施形態においては、一方向クラッチ機構が、オイルダンパーのケーシング内に収容した制動筒の内部に一体に連設したクラッチ筒部の周囲に、巻着傾向を持つクラッチスプリングを装着して、その端部を回転伝達軸の上記クラッチスプリングの周囲に位置する筒部に設けた軸方向溝に係合させることにより構成される。
【０００６】
上記構成を有する自動巻取り式スクリーン装置においては、固定軸と巻取り軸との間に一方向クラッチ機構を内蔵したオイルダンパーを用いているが、該一方向クラッチ機構は、コイルスプリングの回転付勢力に抗してスクリーンを展張する方向に巻取り軸を回転させる場合にはその接続が断たれるので、この場合には巻取り軸をダンパーとは無関係に軽快に回転させ、スクリーンを展張させることができる。
【０００７】
一方、スクリーンをコイルスプリングに蓄積された回転付勢力によって巻取る場合には、固定軸と巻取り軸との間に設けた一方向クラッチ機構が接続された状態になるので、巻取り軸がオイルダンパーを介して固定軸に接続されることになり、そのため、該巻取り軸はコイルスプリングの回転付勢力により回転するが、オイルダンパーのケーシング内の粘性流体による緩衝力によって回転速度の増大が抑制され、それによって、操作框が巻取りボックスに衝突する際に大きな衝撃を与えたり、大きな衝突音を発生したりするのが防止される。
【０００８】
また、上記固定軸と巻取り軸との間に設けた一方向クラッチ機構内蔵のオイルダンパーを、固定軸に連結するケーシングと、該ケーシング内に粘性流体を介して回転自在に収容される制動筒と、上記ケーシングに液密に挿入され、上記制動筒内において上記一方向クラッチ機構を介して制動筒と連結される回転伝達軸と、該回転伝達軸を巻取り軸に連結する伝達部材とを有する構成とし、更に、上記一方向クラッチ機構を、オイルダンパーのケーシング内に収容した制動筒の内部に一体に連設したクラッチ筒部の周囲に、巻着傾向を持つクラッチスプリングを装着して、その端部を回転伝達軸の上記クラッチスプリングの周囲に位置する筒部に設けた軸方向溝に係合させることにより構成すると、ダンパーを簡単な構成でしかも安定的に動作させることが可能になる。
【０００９】
また、本発明に係る自動巻取り式スクリーン装置においては、オイルダンパーのケーシング内面と制動筒外面との間に、部分的に両面が近接する複数の狭窄部を設けると共に、それらの狭窄部の間に、オイルダンパーによる緩衝力を調整する調整駒を収容可能にした拡大部を設け、該調整駒の形状や大きさの調整により粘性流体による緩衝力を簡易に調整することができる。
更に、上記自動巻取り式スクリーン装置においては、一方向クラッチを構成するコイル状のクラッチスプリングの両端が当接する制動筒及び回転伝達軸のうち、少なくとも上記クラッチスプリングがクラッチ筒部への巻着に際してそのコイル状の巻き方向に起因して螺進する方向端のスプリング受け部に、金属製のカラーを当接させておくのが望ましく、これによりダンパーの耐久性を著しく向上させることができる。
【００１０】
【発明の実施の形態】
以下に、図面を参照して本発明に係る自動巻取り式のスクリーン装置の実施例について詳述する。
図１及び図２は、本発明に係る自動巻取り式のスクリーン装置の全体的な構成を示すもので、この実施例は、巻取り軸に捲回したスクリーンを横引き式に開閉できるようにした自動巻取り式のスクリーン装置を、建物開口部における遮光、断熱、あるいは防虫等に適用する場合について示しているが、本発明のスクリーン装置は、上記横引き式に限るものではなく、上下方向に開閉するスクリーンを上方に自動巻取りする場合にも適用することができ、また、上記の用途に限られるものではなく、棚の前面や、食膳を配るために使用される配膳車の開口部用の防塵用スクリーン装置等にも適用することができる。
【００１１】
上記図１及び図２に示しているスクリーン装置は、建物開口部に設置するスクリーン枠１を備え、該スクリーン枠１の一方の側枠２を、スクリーン７を巻付ける回転自在の巻取り軸６を支持する巻取りボックスによって構成している。上記スクリーン枠１は、上記側枠２の上下端に連結された上下枠３，４と、該側枠２に対向する他方の側枠５とを相互に連結することにより構成され、上記側枠２を構成する巻取りボックス内の巻取り軸６にコイルスプリング９を内蔵させ、このコイルスプリング９の捩りによる回転付勢力を巻取り軸６の巻取りのための駆動源として、スクリーン７を自動開放するように構成し、上記スクリーン７の先端には、開閉操作用の操作框８を取り付け、該操作框８に設けた掛け金具１０をスクリーン７の張設時に側枠５に係合させ、スクリーン７を張設状態に保持できるようにしている。また、上記スクリーン７及び操作框８の上下端は、上記上下枠３，４に案内させている。
【００１２】
図１及び図３に示すように、巻取りボックスの上下端のブラケット１２，１３に、両端をそれぞれ支持部材１４，１５を介して回転自在に支持させた上記巻取り軸６（図３では長さを短縮して示している。）には、その内部に固定軸１６を挿通し、該巻取り軸６から上方に突出する固定軸１６の一端を、巻取りボックスの上端のブラケット１２に固定的に支持させ、上記固定軸１６に固定したスプリング受け１８にコイルスプリング９の一端を巻着固定すると共に、該コイルスプリング９の他端を、固定軸１６には回転自在で巻取り軸６には固定したスプリング受け１９に固定的に取り付けている。従って、スクリーン７の巻取り軸６は、ブラケット１２に固定された固定軸１６にコイルスプリング９を介して連結されている。
【００１３】
また、上記固定軸１６と巻取り軸６との間には、一方向クラッチ機構２６（図４）を内蔵したオイルダンパー２５を設けている。上記一方向クラッチ機構２６は、コイルスプリング９の回転付勢力に抗してスクリーン７を展張する方向に巻取り軸６を回転させる場合に、固定軸１６と巻取り軸６との間の接続が自動的に断たれるようにしたものである。
【００１４】
上記オイルダンパー２５は、図４に分解して示しているように、上記固定軸１６に連結するケーシング３０と、該ケーシング３０内に粘性流体を介して回転自在に収容される制動筒３１と、上記ケーシング３０に被着するカバー３３を通して該ケーシング３０に液密に挿入され、上記一方向クラッチ機構２６を介して制動筒３１と連結される回転伝達軸３２と、該回転伝達軸３２を巻取り軸６に連結する伝達部材３４とを有している。
なお、上記伝達部材３４や前述したスプリング受け１９の巻取り軸６に対する固定は、それらの周囲の一部に設けた凹部を巻取り軸６の内面側に突出する凸状部に係合させることによって行い、そのため、上記伝達部材３４やスプリング受け１９の軸線方向移動は許容されている。
【００１５】
上記オイルダンパー２５について、更に具体的に説明すると、上記ケーシング３０は、図５のＡにも示すように、固定軸１６に連結する連結筒部３０ａと、油性の粘性流体を充填する容部３０ｂと、該容部３０ｂの内部中心に突設した制動筒３１の支持軸部３０ｃと、上記容部３０ｂの開口端に位置するカバー３３の嵌着部３０ｄとを備え、連結筒部３０ａを固定軸１６に固定している。
【００１６】
また、上記制動筒３１は、図５のＢ及び図６にも示すように、その周筒部３１ａとケーシング３０の容部３０ｂとの間に粘性流体を介在させて、該容部３０ｂ内に周筒部３１ａを収容し、その際に、中心の支持凹部３１ｂに上記容部３０ｂ内の支持軸部３０ｃを嵌入させることにより、制動筒３１の回転を安定化させるようにし、更に制動筒３１における周筒部３１ａの内部に一体に連設したクラッチ筒部３１ｃの周囲に、巻着傾向を持たせたクラッチスプリング３５を装着し、その端部３５ａを外方に折曲している。また、この制動筒３１におけるクラッチ筒部３１ｃの内側には、回転伝達軸３２を支持する支持凹部３１ｄを凹設している。
【００１７】
上記ケーシング３０の容部３０ｂの内面と制動筒３１における周筒部３１ａの外面との間には、図６からわかるように、部分的に両面が近接する複数の狭窄部３６ａを設けると共に、それらの狭窄部３６ａの間に、オイルダンパーによる緩衝力を調整する調整駒３７をそれぞれ収容可能にした複数の拡大部３６ｂを設けている。該調整駒３７は、その形状や大きさを適宜調整したものを用意しておいて、それらを適宜選択使用することにより、粘性流体による緩衝力を簡易に調整することができるものである。しかも、粘性流体の使用量を少なくすることができるので、特に温度による粘度の変化が少ない高価な粘性流体を使用する場合には有利になる。
【００１８】
上記回転伝達軸３２は、図５のＣにも示しているように、その軸部３２ａが、上記ケーシング３０に被着するカバー３３の中心孔３３ａを通して、該ケーシング３０内に液密に、且つ回転自在に挿入されたもので、上記制動筒３１内において一方向クラッチ機構２６を構成するクラッチスプリング３５の周囲に位置する筒部３２ｂを備え、該筒部３２ｂ内に設けた突子３２ｃを制動筒３１の上記支持凹部３１ｄに嵌入させることにより、該制動筒３１の回転の一層の安定化を図り、また、上記筒部３２ｂに軸方向溝３２ｄ（図４参照）を設けて、クラッチスプリング３５の外側に折曲した端部３５ａを該溝３２ｄに係合させている。
【００１９】
上記回転伝達軸３２は、図４からわかるように、それを制動筒３１内に挿入した状態で、上記軸部３２ａに嵌着される内蓋４０により制動筒３１における周筒部３１ａの開口端を閉鎖し、更に該内蓋４０の外面に二重のＯリング４１，４２を介在させてケーシング３０にカバー３３を被着し、それによってカバー３３の周辺及び中心孔３３ａからの粘性流体の漏出を抑止している。また、上記回転伝達軸３２における軸部３２ａの先端には、回転伝達軸３２を巻取り軸６に連結する伝達部材３４を連結するための角軸部３２ｅを設け、これを該伝達部材３４の中心孔３４ａに挿入して、該伝達部材３４をねじ４４により回転伝達軸３２に固定している。
【００２０】
上記オイルダンパー２５においては、巻取り軸１６へのスクリーン７の巻取りに際し、クラッチスプリング３５が制動筒３１のクラッチ筒部３１ｃへ巻着され、その際に、該クラッチスプリング３５がそのコイル状の巻き方向に起因してクラッチ筒部３１ｃ上を螺進することになり、その螺進方向端のスプリング受け部の摩耗が顕著になる。そのため、上記クラッチスプリング３５の両端が当接する制動筒３１及び回転伝達軸３２のスプリング受け部に、金属製のカラー３８，３９を当接させている。これらのカラーは、クラッチスプリング３５の両端が当接する制動筒３１及び回転伝達軸３２のうちの、少なくとも上記クラッチスプリング３５が螺進する方向端のスプリング受け部に設ければよい。これにより、ダンパー２５における制動筒３１または回転伝達軸３２の耐久性を著しく向上させることができる。
【００２１】
上記構成を有する自動巻取り式スクリーン装置においては、固定軸１６と巻取り軸６との間に一方向クラッチ機構２６を内蔵したオイルダンパー２５を用いているが、該一方向クラッチ機構２６は、コイルスプリング９の回転付勢力に抗してスクリーン７を展張する方向に巻取り軸６を回転させる場合には、その接続が断たれるので、この場合には巻取り軸６をダンパー２５とは無関係に軽快に回転させ、スクリーンを展張させることができる。
【００２２】
一方、スクリーン７をコイルスプリング９に蓄積された回転付勢力によって巻取る場合には、上記一方向クラッチ機構２６が接続された状態になるので、巻取り軸６がオイルダンパー２５を介して固定軸１６に接続されることになり、そのため、該巻取り軸６はコイルスプリングの回転付勢力により回転するが、オイルダンパー２５のケーシング３０内の粘性流体による緩衝力によって回転速度の増大が抑制され、それによって、操作框８が巻取りボックスに衝突する際に大きな衝撃を与えたり、大きな衝突音を発生したりするのが防止される。
【００２３】
また、一方向クラッチ機構２６内蔵のオイルダンパー２５を上記のように構成して、それを固定軸１６と巻取り軸６との間に介装すると、ダンパー２５を簡単な構成でしかも安定的に動作させることが可能になる。
【００２４】
【発明の効果】
以上に詳述したように、本発明の自動巻取り式スクリーン装置によれば、コイルスプリングを駆動源とする巻取り軸にスクリーンを巻き付けて、該スクリーンを自動的に巻き取るようにしたスクリーン装置において、上記スクリーンの巻取り時における衝撃及び衝突音を緩和するためのダンパーを、簡単な構成で安定的に動作し、また簡単な手段でダンパー効果を調整できるように構成することができる。
【図面の簡単な説明】
【図１】本発明にかかる自動巻取り式スクリーン装置の一実施例を示す部分破断正断面図である。
【図２】同平断面図である
【図３】上記実施例における巻取りボックスの分解斜視図である。
【図４】上記実施例におけるオイルダンパーの分解斜視図である。
【図５】Ａ〜Ｄは図４における主要部材の断面図で、Ａはケーシング３０の、Ｂは制動筒３１の、Ｃは回転伝達軸３２の、Ｄは伝達部材３４の断面図である。
【図６】ケーシング３０及び制動筒３１の嵌合状態を示す断面図である。
【符号の説明】
２    巻取りボックス
６    巻取り軸
７    スクリーン
８    操作框
９    コイルスプリング
１２，１３  ブラケット
１６    固定軸
１９    スプリング受け
２５    オイルダンパー
２６    一方向クラッチ機構
３０    ケーシング
３１    制動筒
３１ｃ  クラッチ筒部
３２    回転伝達軸
３２ｂ  筒部
３２ｄ  軸方向溝
３４    伝達部材
３５    クラッチスプリング
【図１】
0003730553.tif 000002
【図２】
0003730553.tif 000003
【図３】
0003730553.tif 000004
【図４】
0003730553.tif 000005
【図５】
0003730553.tif 000006
【図６】
0003730553.tif 000007